(57)【要約】【課題】  野地板との間に通気のための空間を形成して垂木間に断熱材を容易に装填することができ、汎用性が高く且つ低コストな屋根の断熱構造及び断熱工法を提供する。【解決手段】  本屋根の断熱構造は、野地板２の下方の垂木１間に、野地板２との間にスペーサー４が介在されて断熱材３が装填されることにより、野地板２と断熱材３との間に通気空間６が形成されたものである。【選択図】  図１
2006063665.tif 000002
【特許請求の範囲】
【請求項１】
野地板の下方の垂木間に断熱材が装填されてなる屋根の断熱構造であって、野地板と断熱材との間にスペーサーが介設されることにより、野地板と断熱材との間に通気空間が形成されたことを特徴とする屋根の断熱構造。
【請求項２】
前記スペーサーは、前記断熱材に固着されて一体化されたものであることを特徴とする請求項１記載の屋根の断熱構造。
【請求項３】
前記断熱材は、垂木間に圧入されるものであることを特徴とする請求項１又は２記載の屋根の断熱構造。
【請求項４】
前記断熱材は、合成樹脂発泡体であることを特徴とする請求項１乃至３のいずれかに記載の屋根の断熱構造。
【請求項５】
前記合成樹脂発泡体は、板状に連続成形されたものであることを特徴とする請求項４記載の屋根の断熱構造。
【請求項６】
前記断熱材は、垂木と圧接する端部付近に該端部に沿って厚み方向にスリットが形成されることにより弾性変形可能となって垂木と圧着するものである請求項３記載の屋根の断熱構造。
【請求項７】
野地板の下方の垂木間に断熱材を装填する屋根の断熱工法であって、断熱材の野地板と対向する面にスペーサーを固着し、該断熱材をスペーサーが野地板と当接するまで垂木間に圧入して、野地板と断熱材との間に通気空間を形成して断熱材を取り付けることを特徴とする屋根の断熱工法。
【発明の詳細な説明】
【技術分野】
【０００１】
本発明は、建物の屋根の断熱構造及び断熱工法に関する。
【背景技術】
【０００２】
近年の地球温暖化の対策として、二酸化炭素等の温室効果ガスの排出を削減する必要があるとの認識が高まり、その一環として省エネルギーにより温室効果ガスの排出を削減することが要望されている。そして、建築物における省エネルギーでは、屋根や壁等を通じての熱損失を防止すべく、従来にも増して断熱性の向上が望まれている。
【０００３】
住宅等の建物における従来の屋根の断熱としては、野地板等の屋根下地材の屋内側にグラスウール等の断熱材を配設する構造が一般的であり、垂木や野地板等の屋根下地材とグラスウール等の断熱材とを一体化した断熱屋根パネルを、母屋等の小屋組みの構造部材に取り付ける工法や、屋根下地材を施工した後に断熱部材を取り付ける工法がある。
【０００４】
図７は、後者の工法の一例であるが、合成樹脂発泡体からなる断熱材９０の端部付近にスリット９１が形成されており、該断熱材９０が垂木９２間に圧入されることにより、スリット９１が形成された端部付近が圧縮されて弾性変形し、その弾性力により断熱材９０が垂木９２に取り付けられている。このような構造では、小屋組み及び屋根下地材を施工した後に、野地板９３の下側から断熱材９０を配設できるので、施工が簡易且つ安全であるという利点がある（特許文献１参照）。
【０００５】
一方、建物の断熱構造においては、屋根等の下地材と断熱材との間に湿気が溜まり、結露が発生することを防止するために、通気用の空間を設けることが多い。例えば、図８に示すように、野地板９３Ａ，９３Ｂを胴縁９４で離間させて上下二段に配設した二重構造とし、この上下の野地板９３Ａ，９３Ｂの空間に、通気に適度な間隙が生じる程度の厚みの断熱材９５を配設することにより、屋根の断熱構造に通気性をもたすことができる。
【０００６】
また、前述した構成より部品点数を減らして、材料コストや施工コストを低減したものとして、図９に示すように、表面に凹条の通気路９６を所定間隔で形成した断熱材９７を野地板９８の下面に接着した屋根パネル９９がある（特許文献２参照）。
【０００７】
【特許文献１】特開２００３−１３８６６７号公報
【特許文献２】特開２００４−１１６１９１号公報
【発明の開示】
【発明が解決しようとする課題】
【０００８】
図７に示した断熱構造において、野地板９３と断熱材９０との間に通気のための空間を形成するには、断熱材９０を野地板９３と当接するまで圧入しなければよいが、垂木９２間に断熱材９０を圧入すると同時に圧入位置をも調整する作業は煩雑である。また、断熱材９０には引き戻すための手掛かりがないので、野地板９３と当接するまで一旦圧入してしまうと引き戻すことが困難であり、仮に断熱材９０の端部を手掛かりにできたとしても、垂木９２間で圧縮状態にある断熱材９０を引き戻す際に、断熱材９０が折れ曲がったり等して破損させる恐れもある。
【０００９】
一方、図９に示した屋根パネル９９では、断熱材９７と野地板９８とが一体化されており、垂木を配置するために断熱材９７の一部を切除する必要があり、また、屋根パネル９９の継合部では断熱材９７の通気路９６を連続させる必要があること等を考慮すると、多様な屋根の形状や寸法に対応し難くいという問題がある。さらに、断熱材９７の通気路９６は、金型を用いた型内成形方法で一体的に形成するか、成形後に切削加工することになるが、型内成形方法では断熱材９７が定型化して多様な寸法に対応し難く、切削加工では成形工程と別に切削工程が必要であり、材料の歩留まりも悪くなる。
【００１０】
本発明は、これらの問題に鑑みてなされたものであり、野地板との間に通気のための空間を形成して垂木間に断熱材を容易に装填することができ、汎用性が高く且つ低コストな屋根の断熱構造及び断熱工法を提供することを目的とする。
【課題を解決するための手段】
【００１１】
本発明は、野地板の下方の垂木間に断熱材が装填されてなる屋根の断熱構造であって、野地板と断熱材との間にスペーサーが介設されることにより、野地板と断熱材との間に通気空間が形成されたことを特徴とする。
【００１２】
また、本発明は、前記スペーサーが、前記断熱材に固着されて一体化されたものであることを特徴とする。
【００１３】
また、前記断熱材は、垂木間に圧入されるものであり、好ましくは、合成樹脂発泡体であり、特に好ましくは板状に連続成形されるものである。また、前記断熱材は、垂木と圧接する端部付近に該端部に沿って厚み方向にスリットが形成されることにより弾性変形可能となって垂木と圧着するものである。
【００１４】
また、本発明は、野地板の下方の垂木間に断熱材を装填する屋根の断熱工法であって、断熱材の野地板と対向する面にスペーサーを固着し、該断熱材をスペーサーが野地板と当接するまで垂木間に圧入して、野地板と断熱材との間に通気空間を形成して断熱材を取り付けることを特徴とする。
【発明の効果】
【００１５】
本発明に係る屋根の断熱構造によれば、野地板と断熱材との間にスペーサーが介設されることにより、野地板と断熱材との間に通気空間が形成されたので、垂木間に断熱材を容易に装填することができ、また、汎用性が高く且つ低コストな断熱材を用いることができる。
【００１６】
また、本発明によれば、前記スペーサーが、前記断熱材に固着されて一体化されたものなので、断熱材とスペーサーとを別の素材で構成することができ、例えばスペーサーには合成樹脂発泡体や木材等の多様なものを適宜用いることができ、また施工現場にて切断して寸法を調整することも容易である。また、本発明は、前記断熱材が垂木間に圧入されるものである場合に特に効果が顕著であり、断熱材は合成樹脂発泡体が軽量且つ成形容易なので好適であり、該合成樹脂発泡体を板状に連続成形する場合には、成形後に切削等を行う必要がないという利点がある。また、前記断熱材を、垂木と圧接する端部付近に該端部に沿って厚み方向にスリットが形成されることにより弾性変形可能となって垂木と圧着するものとすれば、本断熱構造の施工が一層簡易となる。
【００１７】
また、本発明に係る屋根の断熱工法によれば、断熱材の野地板と対向する面にスペーサーを固着し、該断熱材をスペーサーが野地板と当接するまで垂木間に圧入して、野地板と断熱材との間に通気空間を形成して断熱材を取り付けるので、断熱材に予め凹凸を形成したり、野地板にスペーサーを固定する作業が不要となり、施工が容易である。
【発明を実施するための最良の形態】
【００１８】
以下、本発明の実施の形態について図面に基づいて説明する。
図１は、本発明の実施の形態に係る屋根の断熱構造の概略であるが、図に示すように、垂木１に固着された野地板２の下方に、断熱材３が垂木１間に装填され、該野地板２と断熱材３との間にスペーサー４が介設されている。また、各垂木１の下側には、防湿気密シート５が貼着されて、垂木１より屋内側の防湿気密が確保されている。図には詳細に示していないが、垂木１及び野地板２は、住宅の屋根を構成する部材であって、一般に小屋組みを構成する棟木や母屋に所定の屋根勾配で垂木１が列設され、該垂木１に屋根下地材として野地板が敷設される。これら垂木１及び野地板２は、例えば木造住宅では木材が使用されるのが一般的であるが、本発明に係る屋根の断熱構造は木造住宅に限定されるものではなく、例えば垂木として金属製スタッドを用いる等、周知且つ任意の素材で垂木及び野地板を構成することができる。また、図には示していないが、屋根下地としての野地板２の上方には、水密性を保つためのアスファルトルーフィングが敷かれ、瓦止め材等が適宜配設されて瓦やスレート等が敷設されることにより建物の屋根が構成される。なお、建物の断熱性と防湿気密性とは同時に要求される場合が多いので、本実施の形態では防湿気密シート５を設けているが、本発明に係る断熱構造では任意の構成である。
【００１９】
断熱材３は、図２に示すように、所定寸法の矩形の平板であり、前記垂木１及び野地板２が施工された後に、野地板２の下側から垂木１間に圧入されるものである。このように、断熱材３を垂木１や野地板２と一体化しないことにより、断熱材３を所定の寸法に裁断すれば多様な屋根形状に対応することができ、汎用性が高く低コストであるという利点がある。また、施工現場において切断して寸法を調整することも容易である。断熱材３は、スチレン系樹脂、ウレタン系樹脂、フェノール系樹脂、ポリエチレン系樹脂、ポリプロピレン系樹脂等の合成樹脂の発泡体が、軽量且つ裁断が容易なので好ましく、特にスチレン系樹脂であれば押出発泡成形方法により、ウレタン系樹脂やフェノール系樹脂であれば原料樹脂や発泡剤を混合して連続的に発泡体を形成する連続発泡成形方法により、同厚みの板状の断熱材３を連続成形することが可能なので好適である。断熱材３の厚みは、その熱抵抗値等を考慮して所望の断熱性能を得るべく適宜設定されるものであるが、熱抵抗値が高いものが薄形且つ軽量で取扱い易く好適である。断熱材３の寸法は、その幅方向の寸法が、母屋等に配設された垂木１間の寸法より若干大きいものであり、これにより、断熱材３を幅方向に圧縮するようにして垂木１間に圧入することにより、その両端部を各垂木１と密着させて垂木１間に隙間なく装填することができる。
【００２０】
断熱材３の幅方向の両端部付近には、その両端部に沿ってスリット３０が形成されている。該スリット３０は、断熱材３の表裏面から厚み方向へスリット位置が互い違いになるように複数形成されており、これらスリット３０により、断熱材３は、幅方向で圧縮される方向に弾性変形が可能となっている。スリット３０の幅は数ミリメートル以下であり、深さは断熱材３の厚みの半分から３分の２程度である。スリット３０の方向は、表裏面に対して必ず垂直である必要はなく、断熱性能等を考慮して適宜角度を設けてもよい。また、スリット３０の間隔は数センチメートル程度であり、スリット３０の数は特に限定されないが、表裏面の合計数が１０本以下で十分に弾性変形可能となる。このようなスリット３０の寸法や本数等は、断熱材３の強度や圧縮寸法等を考慮して適宜設定される。したがって、本実施の形態のように、必ずしも断熱材３の両端部付近ともにスリット３０を形成する必要はなく、一方の端部付近のみであってもよい。
【００２１】
スペーサー４は、図２に示すように、断熱材３の長手方向の寸法より若干短い角棒状の部材である。該スペーサー４は、断熱材３に固着されて一体となるものであるが、断熱材３と一体成形されたものではなく別の部材である。したがって、スペーサー４は、野地板２と断熱材３との間に介在して通気空間を形成できる強度があれば、合成樹脂発泡体や木材等の多様な素材のものを適宜用いることができるが、断熱材３が、その弾性によって垂木１と圧着することを考慮すると、合成樹脂発泡体のように軽量のものが好適である。また、断熱部材３と別部材とすることにより、他の屋根部材との干渉等があれば施工現場において適宜切断して寸法調整することも容易である。スペーサー４の厚みは、野地板２と断熱材３との間に形成すべき通気空間６に対応して適宜設定されるが、図１に示したように、垂木１の下側に防湿気密シート５を貼り付ける作業の便宜を考慮すると、断熱材３の底面と垂木１の底面とが略同一面となるように、スペーサー４の厚みを設定することが好適である。スペーサー４の幅は、断熱材３の幅との差が通気空間６となるので、断熱材３との固着に必要な幅を確保すれば、十分に小さくすることが好適である。また、スペーサー４の長さは特に限定されないが、本実施の形態にように断熱材３の長さより若干短くして、図２に示すように、スペーサー４の両端が断熱材３の両端より内側となるように固着すれば、断熱材３の幅方向にも通気空間が形成されて、通気が一層良好となるので好適である。
【００２２】
このようなスペーサー４が、図に示すように、断熱材３が野地板２と対向する面の略中央に長手方向に渡って固着され、該面からスペーサー４が突出した状態となる。断熱材３とスペーサー４との固着は、接着剤や両面テープが好適であり、固化の時間が不要であり作業が容易な両面テープで固着することが特に好ましい。このように、スペーサー４を別部材として断熱材３に固着することにより、断熱材３を合成樹脂発泡体で形成する場合に、押出発泡成形方法や型内成形方法等の任意の成形方法を採用することが可能となり、また、成形後に凹凸を形成するために発泡体の表面を切削する必要がないので、断熱材３の作製方法の自由度が高く且つ低コストとなる。
【００２３】
以下、前記屋根の断熱構造の施工方法について説明する。
建物の小屋組みを施工した後、図３に示すように、複数の垂木１を所定の屋根勾配及び間隔で母屋又は棟木に釘やボルト等の固着具により固着し、該垂木１の上側に野地板２が敷設して屋根下地を形成する。一方、断熱材３及びスペーサー４は、図２に示したように、各断熱材３の野地板２と対向する面の略中央に長手方向に渡って固着しておく。また、必要であれば断熱材３及びスペーサー４を所定の寸法に裁断しておく。
【００２４】
つぎに、一体とした断熱材３及ぶスペーサー４を、スペーサー４が突出した面を野地板２と対向するようにして、野地板２の下側から垂木１間に圧入する。このように、断熱材３及びスペーサー４を野地板２の下側から配設することにより、高所作業が削減されて作業の安全性が向上する。また、断熱材３とスペーサー４とを固着して予め一体としておくことにより、スペーサー４を野地板２に固定しておく必要がなく、断熱材３とスペーサー４との固着作業は地上で行えるので、作業が簡易となり安全性も向上する。
【００２５】
前記断熱材３を垂木１間に圧入する際には、前述したように、その両端部付近に形成されたスリット３０により、両端部が幅方向へ圧縮されるように弾性変形するので、圧入作業は容易である。断熱材３を垂木１間に押し込むように圧入していくと、図４に示すように、スペーサー４が野地板２と当接して圧入位置が規制される。したがって、断熱材３の底面と垂木１の底面とが略同一面となった位置で、作業者に加わる断熱材３の圧入抵抗が急激に増加するので、断熱材３を必要以上に垂木１間に押し込むことなく、所望の位置で断熱材３の圧入を終了できる。該断熱材３の両端部は圧縮状態で弾性変形しており、これら両端部の弾性復元力により断熱材３の両端と垂木１と圧着しているので、野地板２を二重構造にしたり、脱落防止のための部材を垂木１等に固定する必要はない。このようにして、野地板２と断熱材３との間に介在したスペーサー４により所望の通気空間６を確保して、簡易に断熱材３を配設できる。同様にして、各垂木１間に断熱材３を配設した後、図１に示したように、防湿気密シート５を貼り付ける。前述したように、各断熱材３の底面と各垂木１の底面とは略同一面となっているので、防湿気密シート５に弛み等が生じ難く、施工が容易である。
【００２６】
なお、本実施の形態では、スペーサー４を角棒状の部材としたが、スペーサー４の本数や形状は適宜変更することができる。例えば、断熱材３の幅寸法が大きく、スペーサー４が中央のみでは、垂木１間に圧入する際に断熱材３が湾曲したり折れ曲がったりする恐れがある場合には、図５に示すように、断熱材３の中央ではなく、両端部近傍に２本のスペーサー４を固着してもよい。また、図６に示すように、１本の棒状のスペーサー４に代えて、多数の平板状又は棒状のスペーサー４Ａを適宜離間させて固着すれば、断熱材３の作製時の切断片等を利用してコストを更に低減させることができ、また、通気空間を広くすることができる。また、本実施の形態に係る断熱材３は弾性復元力により垂木１と圧着しているので、脱落防止のための部材は特に必要はないが、スペーサー４の上面にも両面テープを貼り付けて野地板２と固着するようにすれば、断熱材３の脱落が確実に防止することができる。
【図面の簡単な説明】
【００２７】
【図１】本発明の実施の形態に係る屋根の断熱構造を示す縦断面図である。
【図２】断熱材３及びスペーサー４の構成を示す斜視図である。
【図３】本実施の形態に係る屋根の断熱構造の施工方法を説明するための縦断面図である。
【図４】本実施の形態に係る屋根の断熱構造の施工方法を説明するための縦断面図である。
【図５】断熱材３とスペーサー４の固着の変形例を示す斜視図である。
【図６】断熱材３及びスペーサー４Ａの構成を示す斜視図である。
【図７】従来の屋根の断熱構造の一例を示す縦断面図である。
【図８】通気性を有する従来の屋根の断熱構造の一例を示す縦断面図である。
【図９】従来の屋根パネルの一例を示す斜視図である。
【符号の説明】
【００２８】
１  垂木
２  野地板
３  断熱材
４  スペーサー
６  通気空間
３０  スリット
【図１】
2006063665.tif 000003
【図２】
2006063665.tif 000004
【図３】
2006063665.tif 000005
【図４】
2006063665.tif 000006
【図５】
2006063665.tif 000007
【図６】
2006063665.tif 000008
【図７】
2006063665.tif 000009
【図８】
2006063665.tif 000010
【図９】
2006063665.tif 000011